(57)【要約】【課題】薄い平面状で、柔軟性があり、液漏れを生じない偏平状化学発光具を提供する。【解決手段】柔軟性を有し、光透過性のあるフィルムを素材とした偏平状外袋１の中に、不織布、布、紙等の液体吸収性シート状素材２、及び混合することにより化学発光を呈する二種類の化学発光組成物の一方を入れて封じた中袋３、及び該化学発光組成物の他方を入れて封じた中袋４を入れ、偏平状外袋の外側から圧力を加えることにより、中袋が破れ、二種類以上の化学発光組成物が混合して化学発光が生じることを特徴とした偏平状化学発光具を提供することにより、上記の課題を解決した。【選択図】          図１
2004265809.tif 000002
【特許請求の範囲】
【請求項１】
柔軟性を有し、光透過性のあるフィルムを素材とした偏平状外袋の中に、不織布、布、紙等の液体吸収性シート状素材または、パルプ、多孔性プラスチック等の液体吸収性粉末状素材、及び柔軟性フィルムを素材とした複数の中袋を入れ、混合することにより化学発光を呈する二種類以上の化学発光組成物を各々異なる中袋に封入し、偏平状外袋の外側から圧力を加えることにより、中袋が破れ、二種類以上の化学発光組成物が混合して化学発光が生じることを特徴とした偏平状化学発光具。
【請求項２】
柔軟性を有し、光透過性のあるフィルムを素材とした偏平状外袋の中に、不織布、布、紙等の液体吸収性シート状素材または、パルプ、多孔性プラスチック等の液体吸収性粉末状素材、及び柔軟性フィルムを素材とした中袋を入れ、混合することにより化学発光を呈する二種類以上の化学発光組成物の一方を中袋に封入し、他方の化学発光組成物を該液体吸収性素材に吸収または塗布させ、偏平状外袋の外側から圧力を加えることにより、中袋が破れ、二種類以上の化学発光組成物が混合して化学発光が生じることを特徴とした偏平状化学発光具。
【請求項３】
柔軟性を有し、光透過性のあるフィルムを素材とした偏平状外袋の中に、不織布、布、紙等の液体吸収性シート状素材または、パルプ、多孔性プラスチック等の液体吸収性粉末状素材、及び柔軟性フィルムを素材とした複数の中袋を入れ、混合することにより化学発光を呈する二種類以上の化学発光組成物を各々異なる中袋に封入し、いずれかの化学発光組成物を該液体吸収性素材に吸収または塗布させ、偏平状外袋の外側から圧力を加えることにより、中袋が破れ、二種類以上の化学発光組成物が混合して化学発光が生じることを特徴とした偏平状化学発光具。
【請求項４】
偏平状外袋の裏面を、白色系のフィルムとした請求項１〜３記載の偏平状化学発光具。
【請求項５】
偏平状外袋の表面及びまたは裏面に、文字、模様、写真等を印刷した請求項１〜４記載の偏平状化学発光具。
【請求項６】
偏平状外袋のフィルム及びまたは中袋のフィルムを多層構造とした請求項１〜５記載の偏平状化学発光具。
【請求項７】
シート状液体吸収性素材を前面と裏面からなる二重構造とし、その前面と裏面の間に中袋を入れた請求項１〜６記載の偏平状化学発光具。
【請求項８】
偏平状外袋のフィルムの厚みを０．０５〜１．０ｍｍ、中袋のフィルムの厚みを０．０１〜０．５ｍｍとし、好ましくは偏平状外袋のフィルムの厚みを０．１ｍｍ〜０．２ｍｍ、中袋の厚みを０．０１〜０．０２ｍｍとした請求項１〜７記載の偏平状化学発光具。
【請求項９】
偏平状外袋の全体の形を、丸型、ハート型、星型、多角形等の曲線、直線の組み合わせよりなる形状としたり、文字や模様の形状とした、請求項１〜８記載の偏平状化学発光具。
【請求項１０】
偏平状外袋の裏面に白色系フィルムを貼り付けた請求項１〜９記載の偏平状化学発光具。
【請求項１１】
中袋を光透過性フィルムで成型した請求項１〜１０記載の偏平状化学発光具。
【請求項１２】
偏平状外袋の裏面に、クリップ、フック、面ファスナー、両面テープ、ピン等の取り付け用部品を付けた請求項１〜１１記載の偏平状化学発光具。
【発明の詳細な説明】
【０００１】
【発明の属する技術分野】
本発明は、化学ルミネセンス反応によって発光する化学発光体を利用した偏平状の発光玩具に関する。
【０００２】
【従来の技術】
従来より、例えば可塑性素材からなる偏平状の光透過性容器に、液体吸収性素材及び化学ルミネセンス反応を起こす溶液を封入したガラスアンプルと、該溶液に混ざると反応する溶液を封入したガラスアンプルを封入しておき、光透過性容器の外側より変形させて中のガラスアンプルを割ることにより二液を混合し、化学ルミネセンス反応を起こさせて発光させる化学発光体は周知である。
【０００３】
この化学発光体は、例えば、実開平４−８１３０１号公報などに提示されているような棒状の化学発光体と異なり、偏平状の光透過性容器中で化学ルミネセンス反応を起こさせて発光させることから、ワッペン、名札などの平面状であることが好ましい用途に適した化学発光具である。
【０００４】
【発明が解決しようとする課題】
ところが、従来の偏平状化学発光具は、封入されたガラスアンプルの破砕後の破片が鋭利であるため、取り扱い時に光透過性容器に、そのガラス破片によって傷や破れが生じ難いようにするため、剛性の高い素材を使用する必要があった。しかしながら光透過性容器に剛性の高い素材を使用するため、化学ルミネセンス反応で生じる炭酸ガスにより、光透過性容器内の圧力が上昇し、ガラス破片によって生じた光透過性容器の内壁の傷や、光透過性容器の封入時の接着部などから化学発光液が漏れ出す危険があり、安全性に問題が生じていた。
【０００５】
また、従来の偏平状化学発光具は、光透過性容器の偏平状空間の中に、細い円筒状のガラスアンプルを封入する必要があり、使用できる化学発光のための薬液量が、光透過性容器の空間内容積に対して非常に少ない。そのため、従来の偏平状発光具は、発光面積に対して充分な発光が得られにくい。従って、従来の方式では、発光に充分な量の化学発光薬液を封入するために、直径がおよそ５ｍｍ以上のガラスアンプルを光透過性容器に封入する必要があり、偏平状化学発光具でありながら、実用的には少なくとも１０ｍｍ以上の厚みが必要という欠点があった。
【０００６】
また、従来の偏平状化学発光具は光透過性容器に剛性の高い素材を用いているため、任意の曲面への貼り付けが容易ではなく、また、化学ルミネセンス反応で生じる炭酸ガスにより内部の圧力が上昇して風船状に変形し、美観を損ねるという欠点があった。
【０００７】
【課題を解決するための手段】
上記の問題を解決するために、本発明の偏平状化学発光具は、従来の偏平状化学発光具に用いられている、化学発光薬液を封入したガラスアンプルの代わりに、破砕後に鋭利な破片を生じない柔軟性フィルムを素材とした中袋に化学発光薬液を封入したものを用いた。これにより、従来の偏平上化学発光具に用いられている、剛性の高い光透過性容器の代わりに、柔軟性のあるフィルム素材を用いた偏平状外袋を使用することができる。
【０００８】
また、偏平状外袋に柔軟性のあるフィルム素材を用いることで、なんら特殊な装置、技術を必要とすることなく、密封の際に内部の気体を充分に抜くことができる。これにより、化学ルミネセンス反応で生じる炭酸ガスにより内部の体積が増えても内部の圧力が上昇しないように調整することができる。従って、従来の偏平状化学発光具の構成において欠点とされた、内部の圧力上昇を原因とする変形や、化学発光薬液の漏れを防止することができる。
【０００９】
更に、化学発光薬液を、柔軟性フィルムを素材とした中袋に封入することにより、中袋自身が柔軟で偏平形状をとりやすいため、偏平状化学発光具の厚みを上昇させることなく充分な化学発光薬液量が封入可能となる。
【００１０】
更に、偏平状外袋にシート状素材を用い、また液体吸収性素材にもシート状の素材を用いることで、剛性の高い光透過性容器を用いる場合に必要とされる、容器の立体的な射出成形、真空成形などの製造工程を経ることなく、ほぼ任意の偏平形状の化学発光具を製作することができる。
【００１１】
更に、偏平状外袋に柔軟なフィルム素材を使用することで、腕や円柱状の柱など、平面以外のものに形状を合わせて貼り付けが可能となり、また、化学ルミネセンス反応で生じる炭酸ガスにより内部の圧力が上昇しても大きく変形することなく、美しい外観を保つことができる。
【００１２】
【発明の実施の形態】
以下、本発明の偏平状化学発光具の好適な実施の形態を、添付図面を参照しながら詳細に説明する。
【００１３】
図１は本発明を長方形のワッペン状玩具として用いた場合の実施の形態の断面図を示すものであり、基本的には、光透過性であり、強靭で柔軟性のあるフィルム状素材の外袋１と、液体吸収性シート素材２と、一方の化学発光組成物が封入され、人の指圧で押し破ることが可能な強度で柔軟性のあるフィルム素材の中袋３と、他方の化学発光組成物が封入され、人の指圧で押し破ることが可能な強度で柔軟性のあるフィルム素材の中袋４から構成されている。
【００１４】
外袋１には、軟質でフィルム状のポリエチレン、ポリプロピレンなどの、化学発光組成物との接触で変質し難い合成樹脂が使用されるが、望ましくは、化学発光液組成物との接触部がポリエチレン、ポリプロピレンで構成され、非接触部には塩化ビニル、塩化ビニリデン、ポリエステルなどの物質透過の抑制やフィルムの強靭性を付与する素材との複層構造フィルムであり、更に金属蒸着、セラミック蒸着を施したガスバリア製に優れたフィルム素材との複層構造も望ましい。
【００１５】
本実施の形態では、例えば外袋１は０．１ｍｍの厚さを有する透明なポリエチレンフィルムであり、５０〜７０ｍｍを一片とする長方形である。
【００１６】
液体吸収性シート２には、不織布、紙、羊毛、木綿など、化学発光組成物との接触で変質し難い天然繊維または合成樹脂等が使用されるが、望ましくは、疎水性処理を施したセルロース不織布、繊維状ポリプロピレン不織布など、有機性化学発光液を吸収して透明化し、かつ毛管現象により多量に薬液をほぼ鉛直に保持できるものである。
【００１７】
形状は、外袋１に収まる形状において任意であるが、充分な発光面積と美観を得るためには外袋とほぼ同じ形状が望ましい。
【００１８】
本実施の形態では、例えば非圧縮時で０．５ｍｍの厚さを有するポリプロピレン製の不織布であり、外袋１にちょうど収まる大きさと形状のものを二枚使用した。
【００１９】
中袋３及び中袋４には、軟質でフィルム状のポリエチレン、ポリプロピレンなどの、化学発光組成物との接触で変質し難い合成樹脂が使用されるが、望ましくは、化学発光液組成物との接触部がポリエチレン、ポリプロピレンで構成され、非接触部には塩化ビニル、塩化ビニリデン、ポリエステルなどの物質透過の抑制やフィルムの強靭性を付与する素材で構成される複層構造フィルムであり、更に金属蒸着、セラミック蒸着を施したガスバリア製に優れたフィルム素材との複層構造も望ましい。また、袋状の場合に指圧で破裂する程度のフィルム強度を有するか、中袋成形時のシール部分が、袋状の場合に指圧で剥離する程度のシール強度を有していることが望ましい。
【００２０】
中袋３及び中袋４の形状は、外袋１に収まり、かつ、各々に化学的に望ましい比率にて化学発光組成物の一方と他方が封入されている。またその化学発光組成物の総量は、化学ルミネセンス反応により生じる炭酸ガスなどの発生で外袋１が膨らむことがあっても、外袋１に緊張が生じない分量を上限とするのが望ましい。なおかつ、指圧で破裂するか、袋成形時のシール部分が剥離する程度の膨らみを有する長方形、円形等のものが望ましい。
【００２１】
本実施の形態では、例えば中袋３及び中袋４の素材は、０．０２ｍｍの厚さを有する透明なポリエチレンフィルムであり、２０〜３０ｍｍを一片とする長方形であり、封入される他方の化学発光組成物の分量は、中袋３には一方の化学発光組成物の分量２ｍｌとし、中袋４には他方の化学反応組成物の分量４ｍｌとした。
【００２２】
中袋３及び中袋４に各々封入される化学発光組成物としては、例えば、一方は活性シュウ酸エステル及び化学ルミネセンス反応における励起物質である蛍光試薬をフタル酸エステルなどの溶剤に溶解したものであり、他方は過酸化水素及びサリチル酸ナトリウムなどの反応触媒を、フタル酸エステル及びまたはアルコールなどの溶剤に溶解したものである。
【００２３】
また、中袋３及び中袋４は、二枚の液体吸収性シート２の間に挿入することにより、化学ルミネセンス反応による化学発光時に破裂後の中袋が外部から見え難くなり、美観を向上させることができる。
【００２４】
以上のように構成される本実施の形態である偏平状発光具は、夜間や室内などの暗所において、外袋１の外側から中袋３及び中袋４に圧力を加えることによりこれを破裂させ、封入された各々の化学発光組成物を外袋１の内部に流出させ、液体吸収性シート２に吸収させつつ混合させて偏平状発光具全体を発光させる。
【００２５】
また、実施の形態において、図２に示すような、外袋５と液体吸収性シート６と中袋７から構成される偏平状化学発光具では、液体吸収性シート６に化学発光組成物の一方を吸収させ、中袋７には他方の化学発光組成物を封入する。このように構成される本実施の形態である偏平状化学発光具では、図１の実施の形態と異なり、中袋が一つとなり、外袋５の外側から圧力を加えて中袋を破裂させる操作が更に容易となる。
【００２６】
また、実施の形態において、図３に示すような、外袋８と液体吸収性シート９と中袋１０と中袋１１から構成される偏平状化学発光具では、液体吸収性シート９に化学発光組成物の一方を吸収させ、中袋１０及び中袋１１には他方の化学発光組成物を分割して封入するか、または各々異なる発光色及びまたは異なる発光強度や時間を示す他方の化学発光組成物を封入する。このように構成される本実施の形態である偏平状化学発光具では、図１及び図２の実施の形態と異なり、二つの袋を同時にまたは時間を隔てて破ることにより、化学発光の明るさや色を段階的に変化させることが可能であり、更に商品力を高めることができる。
【００２７】
本発明の偏平状化学発光具の実施の形態において、偏平状外袋の裏面を白色系のフィルムで作成する、あるいは偏平状外袋の裏面に白色系のフィルムを貼り付けることで、化学発光を片面のみに強く発することができる。
【００２８】
また、偏平状外袋の表面及びまたは裏面に文字、模様、写真などを印刷することで、特定の文字や絵柄を表示することができる。
【００２９】
更に、偏平状外袋のフィルムの厚みを０．０５〜１．０ｍｍ、中袋のフィルムの厚みを０．０１〜０．５ｍｍで調整することで、化学発光具の安全性、品質安定性、美観などを任意に調整可能となる。
【００３０】
更に、中袋を光透過性フィルムで成形することで、その中袋が発光中に光を遮ることがないため、美観を損ねず、商品価値を高めることができる。
【００３１】
更に、偏平状外袋の裏面に、クリップ、フック、面ファスナー、両面テープ、ピン等の取り付け用部品を付けることで、衣類や身体、壁面や静物などに容易に取り付けが可能となる。
【００３２】
【発明の効果】
本発明は、以上説明したように、柔軟性を有し、光透過性のあるフィルムを素材とした偏平状外袋の中に、同じく柔軟性を有する液体吸収性素材及び及び柔軟性フィルムを素材とした中袋を挿入した形態とすることにより、剛性の高い容器や鋭利な破片を生じるガラスアンプルを使用することなく、従来の偏平状化学発光具と同様の機能を維持することができる。これにより、従来の偏平状化学発光具で起こり得る液漏れを心配することなく、安全に楽しむことができる。
【００３３】
また本発明は、立体的な樹脂成型品や円筒形以外の製造が難しいガラスアンプルを使用しないため、従来の偏平状化学発光具よりはるかに薄い製品とすることが可能であり、特に、デザイン上できるだけ薄い形状が望ましいワッペン、ステッカーなどの用途において著しく商品価値を高めることができる。
【００３４】
更に本発明は、剛性の高い部材を使用することなく構成され、なおかつ薄い偏平状であることから、腕や円柱状の柱などの曲面に任意に沿わせて配置することが可能であり、腕章やブレスレットとして、また柱の装飾などとして、半周または全周に渡ってベルト状に発光装飾することが可能であり、既存技術では実現困難であった新しい用途が見出せる。
【図面の簡単な説明】
【図１】本発明の偏平状化学発光具の実施の形態を示す断面説明図。
【図２】本発明の偏平状化学発光具の実施の形態を示す断面説明図。
【図３】本発明の偏平状化学発光具の実施の形態を示す断面説明図。
【符号の説明】
１    外袋
２    液体吸収性シート
３    化学発光組成物の一方を入れて封じた中袋
４    化学発光組成物の他方を入れて封じた中袋
５    外袋
６    化学発光組成物の一方を吸収させた液体吸収性シート
７    化学発光組成物の他方を入れて封じた中袋
８    外袋
９    化学発光組成物の一方を吸収させた液体吸収性シート
１０    化学発光組成物の他方を入れて封じた中袋
１１    化学発光組成物の他方を入れて封じた中袋
【図１】
2004265809.tif 000003
【図２】
2004265809.tif 000004
【図３】
2004265809.tif 000005